(57)【要約】【課題】住宅等の天井に形成した点検口に開閉自在に蓋部材を設けるようにした天井点検口を構成するのに、天井面に形成した点検口や蓋部材が外観的に目立たず、しかも点検口を閉塞する蓋部材が容易に落下しない構成を簡単な構造で実現したフレームレス天井点検口を提供する。【解決手段】天井面の開口部の内側に沿わせた定規枠の下面と天井面とを同一面に一致させた状態に固定し、蓋部材の下面に定規枠内の点検口を閉塞する天面部を突出形成し、蓋部材の周囲に形成した鍔部を定規枠の上面に係止させることによって点検口を閉塞することができ、蓋部材を天井面の開口部の対角線方向に傾け、この蓋部材を天井裏側から開口部を経て下方に取り出す大きさに形成し、且つ定規枠の上面に固定した金属片と蓋部材の鍔部の下面に固定したマグネットシートとを互いに磁力で吸着して点検口を閉塞した状態で蓋部材を定規枠に固定したフレームレス天井点検口。【選択図】図１
2014040709.tif 000002
【特許請求の範囲】
【請求項１】
天井面に形成した点検口を閉塞する蓋部材を天井裏側から落とし込むことによって点検口に取付けるようにした天井点検口において、
天井面の開口部の内側に沿わせた定規枠の下面と天井面とを同一面に一致させた状態に固定し、蓋部材の下面に定規枠内の点検口を閉塞する天面部を突出形成すると共に、蓋部材の周囲に形成した鍔部を定規枠の上面に係止させることによって点検口を閉塞することができ、蓋部材を天井面の開口部の対角線方向に傾けることによって、この蓋部材を天井裏側から開口部を経て下方に取り出す大きさに形成すると共に、定規枠の上面に固定した金属片と蓋部材の鍔部の下面に固定したマグネットシートとを互いに磁力で吸着することによって点検口を閉塞した状態で蓋部材を定規枠に固定するようにし、天井面に付着したクロス材の端部を定規枠の内側に巻き込む一方、蓋部材の天面部の周囲に形成した溝部に天面部の下面に付着したクロス材の端部を巻き込むようにしたことを特徴とするフレームレス天井点検口。
【請求項２】
定規枠を合成樹脂で形成し、この定規枠の下面及び内周面にクラフト紙を付着することにより、このクラフト紙を介してクロス材をクロス専用糊で定規枠に付着するようにしたことを特徴する請求項１記載のフレームレス天井点検口。
【請求項３】
蓋部材に形成された天面部の面内に多数の小穴を空気抜き穴として形成し、この小穴を有する天面部の面上にクロス材を貼着したことを特徴とする請求項１又は２記載のフレームレス天井点検口。
【請求項４】
蓋部材に形成された天面部の内側に複数のリブを形成したことを特徴とする請求項１、２又は３記載のフレームレス天井点検口。
【請求項５】
蓋部材の内側に紐部材の一端を結合し、この紐部材の他端を天井裏の部材に固定するようにしたことを特徴とする請求項１、２、３又は４記載のフレームレス天井点検口。
【発明の詳細な説明】
【技術分野】
【０００１】
本発明は、住宅等の天井に形成した点検口を蓋部材で開閉するようにしたフレームレス天井点検口に関する。
【背景技術】
【０００２】
従来から、住宅等の天井に点検口を形成し、この点検口から天井裏に設けられた換気ユニット等のエアフィルタの交換やその他の設備の点検を行うことが実施されている。
【０００３】
この点検口は、作業員が点検作業を行う際に開放するものであるが、通常の状態では、点検口を蓋部材で閉ざしておく必要があり、また、必要に応じて蓋部材を開くことができる構造にする必要がある。
【０００４】
ここで、上記の天井点検口に関する従来技術として特許文献１を参照する。この文献の天井点検口は、天井面の天井開口に固定される方形状の外枠と、この外枠に対して回動自在に軸支された内枠の内部に蓋材を設けた構成を有するものである。
【０００５】
ところで、上記の天井点検口は、外枠と内枠が天井面に露呈するため、天井面が見栄えのしない外観になるものである。また、蓋材は天井面から下方に回動する構造とされているため、外枠と内枠とを施錠で固定することによって蓋材の閉塞状態を固定するようにしている。
【０００６】
しかしながら、施錠が解除されると、内枠内の蓋材が下方に向けて一挙に回動するため、この蓋材が下方に立っている作業員の頭部に当ったり、その他の危険な事態を招くこととなる。また、地震等の発生によって家屋に振動や捩れが生じた場合、施錠が解除して蓋材が下方に開くおそれがあるため、構造的に改善の余地があった。
【先行技術文献】
【特許文献】
【０００７】
【特許文献１】特開２０１１−２１９９７３号公報
【発明の概要】
【発明が解決しようとする課題】
【０００８】
本発明は上記のように、住宅等の天井に形成した点検口に開閉自在に蓋部材を設けるようにした天井点検口を構成するのに、天井面に形成した点検口や蓋部材が外観的に目立たず、しかも点検口を閉塞する蓋部材が容易に落下しない構成を簡単な構造で実現したフレームレス天井点検口を提供することを目的とする。
【課題を解決するための手段】
【０００９】
上記の目的を達成するために、本発明における請求項１のフレームレス天井点検口は、天井面に形成した点検口を閉塞する蓋部材を天井裏側から落とし込むことによって点検口に取付けるようにした天井点検口において、天井面の開口部の内側に沿わせた定規枠の下面と天井面とを同一面に一致させた状態に固定し、蓋部材の下面に定規枠内の点検口を閉塞する天面部を突出形成すると共に、蓋部材の周囲に形成した鍔部を定規枠の上面に係止させることによって点検口を閉塞することができ、蓋部材を天井面の開口部の対角線方向に傾けることによって、この蓋部材を天井裏側から開口部を経て下方に取り出す大きさに形成すると共に、定規枠の上面に固定した金属片と蓋部材の鍔部の下面に固定したマグネットシートとを互いに磁力で吸着することによって点検口を閉塞した状態で蓋部材を定規枠に固定するようにし、天井面に付着したクロス材の端部を定規枠の内側に巻き込む一方、蓋部材の天面部の周囲に形成した溝部に天面部の下面に付着したクロス材の端部を巻き込むようにしたことを特徴とする。
【００１０】
また、本発明における請求項２のフレームレス天井点検口は、請求項１において、定規枠を合成樹脂で形成し、この定規枠の下面及び内周面にクラフト紙を付着することにより、このクラフト紙を介してクロス材をクロス専用糊で定規枠に付着するようにしたことを特徴する。
【００１１】
また、本発明における請求項３のフレームレス天井点検口は、請求項１又は２において、蓋部材に形成された天面部の面内に多数の小穴を空気抜き穴として形成し、この小穴を有する天面部の面上にクロス材を貼着したことを特徴とする。
【００１２】
また、本発明における請求項４のフレームレス天井点検口は、請求項１、２又は３において、蓋部材に形成された天面部の内側に複数のリブを形成したことを特徴とする。
【００１３】
さらに、本発明における請求項５のフレームレス天井点検口は、請求項１、２，３又は４において、蓋部材の内側に紐部材の一端を結合し、この紐部材の他端を天井裏の部材に固定するようにしたことを特徴とする。
【発明の効果】
【００１４】
本発明のフレームレス天井点検口によれば、天井面に形成した点検口を閉塞する蓋部材を天井裏側から落とし込むことで、蓋部材の周囲に形成した鍔部を定規枠の上面に係止させることによって点検口を閉塞することが可能である。
【００１５】
また、上記のように蓋部材を点検口に取付けた状態において、天井面と定規枠との下面が同一面上に一致し、さらに定規枠と蓋部材の天面部との下面が同一面上に一致する。このため、天井面と蓋部材の下面にクロス材を付着した状態において、天井面には蓋部材の周囲の境界線が現れるだけであり、外観的にもほとんど目立たない状態で蓋部材を取り付けたフレームレス天井点検口を形成することが可能となる。
【００１６】
また、上記の構成において、定規枠の上面に固定した金属片と蓋部材の鍔部の下面に固定したマグネットシートとを互いに磁力で吸着することによって蓋部材を定規枠に固定することが可能である。従って、扉の開閉等によって室内の空気圧に変化が生じた場合でも、蓋部材が開口部から離脱して上方に持ち上げられることがなく、蓋部材が天井面に目立たない状態で取り付けられた状態を継続的に維持することが可能となる。
【００１７】
また、本発明によれば、上記のように取り付けられた蓋部材を室内側に取り出すには、蓋部材を天井面の開口部の対角線方向に傾けることによって、蓋部材を天井裏側から開口部を経て下方に取り出すことが可能となる。
【００１８】
また、上記の構成において、天井面に付着したクロス材の端部を定規枠の内側部に巻き込む一方、蓋部材の天面部の周囲に形成した溝部に天面部の下面に付着したクロス材の端部を巻き込むようにする。これにより、クロス材の端部が容易に離脱することもなく、上記のように、外観的にもほとんど目立たない状態で、天井面に設けられた点検口に蓋部材を取り付けた状態とすることが可能となる。
【００１９】
また、定規枠を合成樹脂で形成し、この定規枠にクロス材を付着する際、通常のクロス専用糊では付着力が弱く、剥がれやすいものとなる。しかしながら、本発明の請求項２によれば、定規枠の下面及び内周面にクラフト紙を付着することにより、クロス材をクロス専用糊で定規枠に容易且つ強固に付着することが可能となる。
【００２０】
また、本発明の請求項３によれば、蓋部材に形成された天面部の面内に多数の小穴を空気抜き穴として形成し、この小穴を有する天面部の面上にクロス材を貼着することにより、クロス材と天面部の面上との間に介在した空気を小穴から抜き出すことができる。これによって、天面部の面上に貼り付けたクロス材が速やかに貼着でき、しかも平滑面となって綺麗な仕上がりとなる。
【００２１】
また、本発明の請求項４によれば、蓋部材に形成された天面部の内側に複数のリブを形成したことにより、蓋部材の構造を軽量且つ高強度に形成することが可能となる。
【００２２】
さらに、本発明の請求項５によれば、蓋部材の内側に紐部材の一端を結合し、この紐部材の他端を天井裏の部材に固定した構成としている。これにより、蓋部材を点検口の下方に取り出した際、蓋部材が落下した場合でも、紐部材の長さの範囲で蓋部材を天井から吊り下げた状態にすることができ、蓋部材が室内の床面上に落下することもなく、安全性を確保することが可能となる。
【図面の簡単な説明】
【００２３】
【図１】本発明の実施例における点検口から蓋部材を上方に持ち上げた状態を示す斜視図である。
【図２】本発明の実施例における点検口に蓋部材を落とし込んだ状態を示す斜視図である。
【図３】本発明の実施例における点検口の上方で蓋部材を点検口の対角線方向に傾けた状態にして点検口の下方に通過させるようにした状況を示す斜視図である。
【図４】本発明の実施例における点検口を天井面の下方から見た状態を示す斜視図である。
【図５】（ａ）は本発明の実施例における蓋部材の天井面側を上方に向けた状態を示す斜視図であり、(ｂ)はこの蓋部材の上下を反転することによって蓋部材の天井裏側を上方に向けた状態を示す斜視図である。
【図６】（ａ）は本発明の実施例における点検口を構成する定規枠を示す平面図であり、(ｂ)は側面図であり、(ｃ)は(ｂ)のＡで示す端部の拡大図であって定規枠を構成する部材の端面を示すものであり、(ｄ)は定規枠を天井の開口部に取り付けた状態を示す断面図である。
【図７】（ａ）は本発明の実施例における蓋部材を天井面側から見た平面図であり、(ｂ)は蓋部材を天井裏側から見た平面図であり、(ｃ)は蓋部材の断面図であり、(ｄ)は(ｃ)のＢで示す端部の部分拡大図である。
【図８】（ａ）は本発明の実施例における蓋部材を点検口に落とし込んだ状態を示す断面図であり、(ｂ)は蓋部材を点検口から上方に持ち上げた状態を示す断面図である。
【発明を実施するための形態】
【００２４】
以下、本発明の実施形態について図面を参照しながら説明する。
【実施例】
【００２５】
本実施形態のフレームレス天井点検口は、図１〜図３に示すように、住宅等の天井面１に形成した点検口２を閉塞する蓋部材３を天井裏側から落とし込むことによって点検口２に取付けるようにしたものである。
【００２６】
なお、図１〜図３は、本実施形態における点検口２を天井裏から見た斜視図であり、天井材取付金具４にネジ４ａ（図８参照）で固定した天井材５を石膏ボード等で形成してあり、この天井面１に正方形の点検口２を形成した状況を示す。
【００２７】
また、図１は、点検口２の上方に蓋部材３を持ち上げた状況を示す。この蓋部材３は、図２に示すように、天井裏の上方から点検口２に落とし込むことによって、点検口２を上方から閉塞するようにしたものである。また、図３に示すように、蓋部材３を上方へ押し上げることによって点検口２を開放することができ、この蓋部材３を持ち上げた状態で、点検口２の対角線方向に傾けることによって、蓋部材３を点検口２から下方へ通過させて取り出すことが可能である。
【００２８】
また、図２に示すように、点検口２に蓋部材３を取り付けて点検口２を閉じた状態にしたとき、図４に示すように、天井面１を室内側から上方に見ると、その天井面１は、蓋部材３と点検口２の境界線６が見えるだけであり、従来の点検口のように蓋部材の周囲や点検口の周囲に枠部材が露呈して見えるようなことがない。
【００２９】
ここで、上記の点検口２について詳細に説明する。図１〜図３又は図６(ｄ)に示すように、天井材取付金具４に固定した石膏ボード等の天井材５を切開することによって開口部７を形成し、この開口部７の内周に定規枠８を固定する。この定規枠８の内部に形成される開口部が点検口２として使用される。
【００３０】
また、定規枠８は、図６（ａ）に示すように、天井材５と同様の厚さのポリスチレン樹脂等の樹脂材料によって長尺の板部材８ａを四辺に配して固定し、各板部材８ａの端部同士をコ字形の固定針８ｂで固定することにより、正方形の四辺をなす定規枠８を形成している。
【００３１】
また、本実施形態においては、図６(ｂ)、(ｃ)、(ｄ)に示すように、この定規枠８の天井面１側である下面及び内周面にクラフト紙９を付着している。このような構成により、定規枠８がポリスチレン樹脂等のようにクロス専用糊が付着し難い材料を使用した場合であっても、この定規枠８に予めクラフト紙９を所定の接着材で接着しておくと良い。これによって、天井面１側に設けたクロス材１０をクロス専用糊を用いて定規枠８に容易且つ強固に付着することが可能となる。
【００３２】
また、上記の構成において、図６(ｂ)、(ｃ)に示すように、天井面１に付着したクロス材１０の端部を定規枠８の内側に巻き込むことにより、綺麗な仕上がりとなり、またクロス材１０の端部の離脱を防止することが可能となる。
【００３３】
一方、図７(ａ)、(ｂ)に示すように、蓋部材３は平面形状が正方形に形成され、蓋部材３の内方の下面に、定規枠８内の点検口２を閉塞する大きさの正方形状の天面部３ａを突出形成した構成としている。
【００３４】
また、図７(ｂ)に示すように、蓋部材３の天面部３ａの面内に空気抜き穴として多数の小穴１１を形成している。この小穴１１は、天面部３ａの面上にクロス材１０を貼着する場合、クロス材１０と天面部３ａの面上との間に介在した空気を小穴１１から抜き出すことができる。これによって、天面部３ａの面上に貼り付けたクロス材１０が速やかに貼着でき、しかも平滑面となって綺麗な仕上がりとなる。
【００３５】
また、図５(ａ)または図７(ｄ)に示すように、蓋部材３の天面部３ａの周囲には溝部１２が形成され、蓋部材３の天面部３ａの下面に付着したクロス材１０の端部を溝部１２内に巻き込むことによって、クロス材１０の付着を綺麗に仕上げることができ、またクロス材１０が端部から剥がれ難い構成となる。
【００３６】
また、上記の蓋部材３には、図１〜図３、図５(ｂ)、又は図７(ｂ)に示すように、天面部３ａの内側に複数のリブ１３が形成され、蓋部材３を軽量且つ高強度な構造に構成している。
【００３７】
さらに、図１〜図３に示すように、蓋部材３の内側に紐部材１４の一端を結合し、この紐部材１４の他端を天井裏の部材として、例えば天井材取付金具４に捻じ込んだネジ１５に固定した構成としている。これにより、蓋部材３を点検口２の下方に取り出した際に、蓋部材３が落下した場合でも、紐部材１４の長さの範囲で蓋部材３を天井から吊り下げた状態にすることができ、安全上の対策を図ることが可能となる。
【００３８】
なお、上記の構成において、蓋部材３を天井面１に形成した開口部７の対角線方向に傾けることによって、この蓋部材３を天井裏側から開口部７を経て下方に取り出すようにしているが、その実現のために、蓋部材３の最大外径を開口部７の対角線の長さより小形に形成する必要がある。
【００３９】
さらに、本実施形態においては、定規枠８の上面に固定した金属片１７と蓋部材３の鍔部３ｂの下面に固定したマグネットシート１６とを互いに磁力で吸着することによって点検口２を閉塞した状態で蓋部材３を定規枠８に固定するようにしている。なお、本実施例においては、定規枠８に金属片１７を固定し、蓋部材３の鍔部３ｂにマグネットシート１６を固定してあるが、その逆に、定規枠８にマグネットシート１６を固定し、蓋部材３の鍔部３ｂに金属片１７を固定しても同様の効果を得ることができる。
【００４０】
いずれにしても、上記の構成により、住宅の扉の開閉等によって室内の空気圧に変化が生じた場合でも、天井側の定規枠８に蓋部材３が磁力で吸着されているため、蓋部材３が点検口２から離脱して上方に持ち上げられることがない。
【００４１】
本実施形態のフレームレス天井点検口は、上記の構成により、図１、図２又は図８に示すように、天井面１に形成した点検口２を閉塞する蓋部材３を天井裏側から落とし込むことで、蓋部材３の周囲に形成した鍔部３ｂを定規枠８の上面に係止させることによって点検口２を閉塞することが可能となる。
【００４２】
このとき、図８（ａ）、(ｂ)に示すように、蓋部材３を点検口２に取付けた状態において、天井面１と定規枠８との下面が同一面上に一致し、さらに定規枠８と蓋部材３の天面部３ａとの下面が同一面上に一致する。このため、天井面１と蓋部材３の下面にクロス材１０を付着した状態において、天井面１には蓋部材３の周囲の境界線６が現れるだけであり、外観的にもほとんど目立たない状態で蓋部材３を取り付けた天井点検口２を形成することが可能となる。
【産業上の利用可能性】
【００４３】
本発明のフレームレス天井点検口は、住宅等の天井に形成した点検口に開閉自在に蓋部材を設けるようにした天井点検口を構成するのに、天井面に形成した点検口や蓋部材が外観的に目立たず、しかも点検口を閉塞する蓋部材が容易に落下しない構成を簡単な構造で実現したフレームレス天井点検口として利用することが可能である。
【符号の説明】
【００４４】
１  天井面
２  点検口
３  蓋部材
３ａ  天面部
３ｂ  鍔部
４  天井材取付金具
４ａ  ネジ
５  天井材
６  境界線
７  開口部
８  定規枠
８ａ  板部材
８ｂ  固定針
９  クラフト紙
１０  クロス材
１１  小穴
１２  溝部
１３  リブ
１４  紐部材
１５  ネジ
１６  マグネットシート
１７  金属片
Ａ  定規枠の端部
Ｂ  蓋部材の端部
【図１】
2014040709.tif 000003
【図２】
2014040709.tif 000004
【図３】
2014040709.tif 000005
【図４】
2014040709.tif 000006
【図５】
2014040709.tif 000007
【図６】
2014040709.tif 000008
【図７】
2014040709.tif 000009
【図８】
2014040709.tif 000010